(57)【特許請求の範囲】
【請求項１】
移動通信端末を特定する端末情報と移動通信端末に装着される加入者認証モジュールを特定するモジュール情報とを対応付けた情報として、当該端末情報と、当該端末情報によって特定される移動通信端末が位置登録された際に当該移動通信端末に装着されている加入者認証モジュールを特定するモジュール情報とが対応付けられた当該移動通信端末の位置登録に係る情報を記憶しておくデータベースと、
制御対象の移動通信端末の前記端末情報及び加入者認証モジュールの前記モジュール情報を含む当該移動通信端末に対する機能制御の要求を受け付ける制御要求受付手段と、
前記制御要求受付手段によって受け付けられた前記機能制御の要求に含まれる前記端末情報及び前記モジュール情報の組み合わせが前記データベースに記憶されているか否かを判断する判断手段と、
前記判断手段による判断に応じて、前記制御要求受付手段によって受け付けられた前記機能制御の要求に係る移動通信端末に対して、当該機能制御を行う制御信号を送信する制御信号送信手段と、を備え、
前記判断手段は、前記制御要求受付手段によって受け付けられた前記機能制御の要求に含まれる前記端末情報及び前記モジュール情報の組み合わせが前記データベースに記憶されていないと判断した場合に、当該端末情報及び当該モジュール情報の組み合わせを記憶しておき、当該端末情報によって特定される移動通信端末が新たに位置登録を行ったことを検出して、当該検出をトリガとして再度、当該端末情報及び当該モジュール情報の組み合わせが前記データベースに記憶されているか否かを判断する制御装置。
【請求項２】
前記判断手段は、予め、前記端末情報に対応付けて移動通信端末の能力を示す情報を記憶しておき、前記機能制御の要求に含まれる前記端末情報に基づいて、前記機能制御の要求に係る移動通信端末が機能制御を実行できる能力を有しているか否かを更に判断することを特徴とする請求項１に記載の制御装置。
【請求項３】
移動通信端末を特定する端末情報と移動通信端末に装着される加入者認証モジュールを特定するモジュール情報とを対応付けた情報として、当該端末情報と、当該端末情報によって特定される移動通信端末が位置登録された際に当該移動通信端末に装着されている加入者認証モジュールを特定するモジュール情報とが対応付けられた当該移動通信端末の位置登録に係る情報を記憶しておくデータベースを備える制御装置による制御方法であって、
制御対象の移動通信端末の前記端末情報及び加入者認証モジュールの前記モジュール情報を含む当該移動通信端末に対する機能制御の要求を受け付ける制御要求受付ステップと、
前記制御要求受付ステップにおいて受け付けられた前記機能制御の要求に含まれる前記端末情報及び前記モジュール情報の組み合わせが前記データベースに記憶されているか否かを判断する判断ステップと、
前記判断ステップにおける判断に応じて、前記制御要求受付ステップにおいて受け付けられた前記機能制御の要求に係る移動通信端末に対して、当該機能制御を行う制御信号を送信する制御信号送信ステップと、を含み、
前記判断ステップにおいて、前記制御要求受付ステップにおいて受け付けられた前記機能制御の要求に含まれる前記端末情報及び前記モジュール情報の組み合わせが前記データベースに記憶されていないと判断した場合に、当該端末情報及び当該モジュール情報の組み合わせを記憶しておき、当該端末情報によって特定される移動通信端末が新たに位置登録を行ったことを検出して、当該検出をトリガとして再度、当該端末情報及び当該モジュール情報の組み合わせが前記データベースに記憶されているか否かを判断する制御方法。
【発明の詳細な説明】
【技術分野】
【０００１】
本発明は、移動通信端末の機能を制御する制御装置及び制御方法に関する。
【背景技術】
【０００２】
従来から、制御装置から移動通信端末に対して制御信号を送付して、移動通信端末の機能を制御することが行われている。このような制御において、適切な制御を行うことと目的として、制御対象となる移動通信端末を特定する情報であるＩＭＥＩ（International Mobile Equipment Identifier）が、予め記憶された許可リストに登録されているか否か等を判別して、当該判別内容に応じて制御信号を当該移動通信端末に制御信号を送信するか否かを判断することが提案されている（例えば、特許文献１参照）。
【先行技術文献】
【特許文献】
【０００３】
【特許文献１】特開２００６−２６１９１８号公報
【発明の概要】
【発明が解決しようとする課題】
【０００４】
しかしながら、上記のような制御では、以下のように適切な制御がされえない場合がある。制御信号は、具体的にはＳＭＳ（Short Message Service）によるメッセージとして送信される。ＳＭＳでは、送信先は移動通信端末本体に装着されるＳＩＭ（Subscriber Identity Module）やＵＩＭ（User Identity Module）等の加入者認証モジュールに対してメッセージが送信されるので、加入者認証モジュールが差し替えられた場合等には、制御対象となるＩＭＥＩの移動通信端末に制御信号が送信されずに異なるＩＭＥＩの移動通信端末に送信されることがある。その場合、適切な移動通信端末に制御が行われないばかりか、制御信号が送信された移動通信端末が制御信号に係る制御を実行できる能力を有していなかった場合には当該制御信号によって移動通信端末において誤動作が生じることがある。
【０００５】
また、移動通信端末から制御信号の送信が要求される場合、加入者認証モジュールが差し替えられたり、ソフトウェアを自由に書き換え可能なオープンプラットフォーム端末等の移動通信端末から送信されるＩＭＥＩが偽装されたりすると、望む移動通信端末に対して正しく制御信号による制御が行われないおそれがある。
【０００６】
本発明は、以上の問題点を解決するためになされたものであり、制御信号による移動通信端末の機能の制御を適切に行うことができる制御装置及び制御方法を提供することを目的とする。
【課題を解決するための手段】
【０００７】
上記目的を達成するため、本発明に係る制御装置は、移動通信端末を特定する端末情報と移動通信端末に装着される加入者認証モジュールを特定するモジュール情報とを対応付けて記憶しておくデータベースと、制御対象の移動通信端末の端末情報及び加入者認証モジュールのモジュール情報を含む当該移動通信端末に対する機能制御の要求を受け付ける制御要求受付手段と、制御要求受付手段によって受け付けられた機能制御の要求に含まれる端末情報及びモジュール情報の組み合わせがデータベースに記憶されているか否かを判断する判断手段と、判断手段による判断に応じて、制御要求受付手段によって受け付けられた機能制御の要求に係る移動通信端末に対して、当該機能制御を行う制御信号を送信する制御信号送信手段と、を備えることを特徴とする。なお、移動通信端末に対する機能制御は、当該移動通信端末に装着される加入者認証モジュールに対する機能制御を行うことも含む。
【０００８】
本発明に係る制御装置では、端末情報やモジュール情報単体での判断だけでなく端末情報及びモジュール情報の両方に基づいて、移動通信端末に対する機能制御が判断される。従って、制御信号が誤った移動通信端末に送信されることを防止することができる。また、端末情報やモジュール情報のみに基づいて機能制御の判断を行う場合に比べて、移動通信端末から制御信号の送信が要求される際に情報が偽装された場合であっても適切に制御信号による制御を行うことができる。即ち、本発明に係る制御装置によれば、制御信号による移動通信端末の機能の制御を適切に行うことができる。
【０００９】
データベースは、当該端末情報と、当該端末情報によって特定される移動通信端末が位置登録された際に当該移動通信端末に装着されている加入者認証モジュールを特定するモジュール情報とが対応付けられた移動通信端末の位置登録に係る情報を端末情報とモジュール情報とを対応付けた情報として記憶する。この構成によれば、データベースに記憶される端末情報及びモジュール情報が移動体通信網に在圏することを許容された移動通信端末に係るものになる。従って、当該移動通信端末には確実に制御信号を送信することができ、制御信号による移動通信端末の機能の制御を更に適切に行うことができる。
【００１０】
判断手段は、制御要求受付手段によって受け付けられた機能制御の要求に含まれる端末情報及びモジュール情報の組み合わせがデータベースに記憶されていないと判断した場合に、当該端末情報及び当該モジュール情報の組み合わせを記憶しておき、当該端末情報によって特定される移動通信端末が新たに位置登録を行ったことを検出して、当該検出をトリガとして再度、当該端末情報及び当該モジュール情報の組み合わせがデータベースに記憶されているか否かを判断する。この構成によれば、機能制御の要求を受け付けられた時点で機能制御を行う端末情報及びモジュール情報の組み合わせになっていなかったとしても、機能制御を行う端末情報及びモジュール情報の組み合わせになった場合等に制御信号による移動通信端末の機能の制御を行うことができる。
【００１１】
判断手段は、予め、端末情報に対応付けて移動通信端末の能力を示す情報を記憶しておき、機能制御の要求に含まれる端末情報に基づいて、機能制御の要求に係る移動通信端末が機能制御を実行できる能力を有しているか否かを更に判断することが望ましい。この構成によれば、不要な制御信号の送信を防止することができる。また、機能制御を実行できない移動通信端末に制御信号を送信することによる移動通信端末における誤動作を防止することができる。
【００１２】
ところで、本発明は、上記のように制御装置の発明として記述できる他に、以下のように制御方法の発明としても記述することができる。これはカテゴリが異なるだけで、実質的に同一の発明であり、同様の作用及び効果を奏する。
【００１３】
即ち、本発明に係る制御方法は、移動通信端末を特定する端末情報と移動通信端末に装着される加入者認証モジュールを特定するモジュール情報とを対応付けた情報として、当該端末情報と、当該端末情報によって特定される移動通信端末が位置登録された際に当該移動通信端末に装着されている加入者認証モジュールを特定するモジュール情報とが対応付けられた当該移動通信端末の位置登録に係る情報を記憶しておくデータベースを備える制御装置による制御方法であって、制御対象の移動通信端末の端末情報及び加入者認証モジュールのモジュール情報を含む当該移動通信端末に対する機能制御の要求を受け付ける制御要求受付ステップと、制御要求受付ステップにおいて受け付けられた機能制御の要求に含まれる端末情報及びモジュール情報の組み合わせがデータベースに記憶されているか否かを判断する判断ステップと、判断ステップにおける判断に応じて、制御要求受付ステップにおいて受け付けられた機能制御の要求に係る移動通信端末に対して、当該機能制御を行う制御信号を送信する制御信号送信ステップと、を含み、判断ステップにおいて、制御要求受付ステップにおいて受け付けられた機能制御の要求に含まれる端末情報及びモジュール情報の組み合わせがデータベースに記憶されていないと判断した場合に、当該端末情報及び当該モジュール情報の組み合わせを記憶しておき、当該端末情報によって特定される移動通信端末が新たに位置登録を行ったことを検出して、当該検出をトリガとして再度、当該端末情報及び当該モジュール情報の組み合わせが前記データベースに記憶されているか否かを判断することを特徴とする。
【発明の効果】
【００１４】
本発明によれば、制御信号が誤った移動通信端末に送信されることを防止したり、端末情報やモジュール情報のみに基づいて機能制御の判断を行う場合に比べて、移動通信端末から制御信号の送信が要求される際に情報が偽装された場合であっても適切に制御信号による制御を行ったりすることができる。即ち、本発明によれば、制御信号による移動通信端末の機能の制御を適切に行うことができる。
【図面の簡単な説明】
【００１５】
【図１】本発明の実施形態に係る制御装置の機能構成を示す図である。
【図２】端末情報とモジュール情報との対応付け（くくり付け）を示す情報を保持するデータベースに記憶される情報を示すテーブルである。
【図３】端末情報とモジュール情報との対応付け（くくり付け）を示す情報を保持するデータベースに記憶される情報を示すテーブルの別の例である。
【図４】端末情報とモジュール情報との対応付け（くくり付け）を示す情報を保持するデータベースに記憶される情報を示すテーブルの更に別の例である。
【図５】本発明の実施形態に係る制御装置を構成する制御サーバのハードウェア構成を示す図である。
【図６】本発明の実施形態に係る制御装置で実行される処理（制御方法）を示すシーケンス図である。
【図７】本発明の実施形態に係る制御装置で実行される処理（制御方法）の別の例を示すシーケンス図である。
【図８】本発明の実施形態に係る制御装置で実行される処理（制御方法）の更に別の例を示すシーケンス図である。
【発明を実施するための形態】
【００１６】
以下、図面と共に本発明に係る制御装置及び制御方法の好適な実施形態について詳細に説明する。なお、図面の説明においては同一要素には同一符号を付し、重複する説明を省略する。
【００１７】
図１に、本実施形態に係る制御装置１を示す。制御装置１は、移動通信端末（移動機）３０の機能を制御する装置であり、制御サーバ１０と端末情報とモジュール情報との対応付け（くくり付け）を示す情報を保持するデータベース、例えばＥＩＲ（Equipment Identity Register）２０とを含んで構成されている。制御サーバ１０は、移動通信端末３０の機能の制御を実行する装置であり、例えば、ＯＭＡ（Open Mobile Alliance）にて規定されているデバイスマネージメントサーバに相当する。ＥＩＲ２０は、移動通信端末３０の機能の制御を実行するための情報を記憶する装置である。制御サーバ１０とＥＩＲ２０とは、有線等で接続されており互いに情報の送受信を行うことができる。制御サーバ１０は、移動体通信網（図示せず）を介して移動通信端末３０と情報の送受信を行うことができる。また、制御サーバ１０は、入力サーバ４０と有線又は無線の通信網を通じて接続されており、情報の送受信を行うことができる。
【００１８】
移動通信端末３０は、移動体通信網に接続して移動体通信を行う装置である。移動通信端末３０は、加入者認証モジュールであるＳＩＭが差し込まれて移動通信端末として機能する。ＳＩＭには、当該ＳＩＭを特定するモジュール情報が記憶されている。モジュール情報は、具体的には、ＭＳＩＳＤＮ（Mobile Subscriber ISDN Number）である。移動体通信網では、ＭＳＩＳＤＮが用いられて、移動通信端末３０による発着信等の通信処理が行われる。その一方で、移動通信端末３０（本体）には、当該移動通信端末３０を特定する端末情報が設定されて記憶されている。端末情報は、具体的にはＩＭＥＩである。
【００１９】
移動通信端末３０は、移動体通信網に接続して通信を行う際に、移動体通信網に対して位置登録を行う。位置登録は、移動通信端末３０が位置する通信エリアを移動体通信網に登録する処理である。移動通信端末３０が位置登録を行うことで自端末３０に係るＭＳＩＳＤＮとＩＭＥＩとの対応（くくり付け）を示す情報が移動体通信網に登録される。ＥＩＲ２０において位置登録された移動通信端末３０に係るＭＳＩＳＤＮ及びＩＭＥＩがそれぞれ対応付けて記憶される。即ち、ＥＩＲ２０は、移動通信端末３０を特定するＩＭＥＩと移動通信端末３０に装着されるＳＩＭを特定するＭＳＩＳＤＮとを対応付けて記憶しておくデータベースである。
【００２０】
ＥＩＲ２０は、具体的には、図２に示すテーブルにＭＳＩＳＤＮ（使用中ＭＳＩＳＤＮ）及びＩＭＥＩをそれぞれ対応付けて記憶する。ＥＩＲ２０は、予めキー情報としてＩＭＥＩを登録しておき、移動通信端末３０が位置登録された際に当該ＩＭＥＩに係る移動通信端末３０本体に装着されているＳＩＭのＭＳＩＳＤＮを、当該ＩＭＥＩに対応付けて新たに記憶する。移動通信端末３０に挿入されていたＳＩＭが抜かれて別の移動通信端末３０に挿入された場合、ＥＩＲ２０は記憶したＭＳＩＳＤＮを更新する。なお、ＩＭＥＩとＭＳＩＳＤＮとを対応付けて記憶しておくデータベースとしては、必ずしもＩＭＥＩをキー情報とするものではなくてもよく、ＭＳＩＳＤＮをキー情報とするものであってもよい。
【００２１】
移動通信端末３０は、上述したように制御装置１による機能制御の対象となる。この機能制御は、入力サーバ４０等の制御対象となる移動通信端末３０以外の装置からの要求に基づいて行われる場合と、制御対象となる移動通信端末３０自身からの要求に基づいて行われる場合とがある。制御内容としては、具体的にはＯＭＡで標準化されているデバイスマネジメント等であり、例えば、遠隔初期化、遠隔機能制限及び遠隔ソフトウェア更新である。更に、ＳＩＭに対するＳＩＭ機能制限も含まれる。制御に係る処理については、より詳細に後述する。
【００２２】
入力サーバ４０は、ユーザが移動通信端末３０に対する機能制御を示す情報を入力する装置である。具体的には、入力サーバ４０は、移動体通信網を提供する通信事業者等によって管理される専用端末やＰＣ（Personal Computer）等の一般的な端末に相当する。
【００２３】
なお、後述するように制御装置１（の制御サーバ１０）に対して移動通信端末３０の機能制御の要求を行う場合は、当該要求に制御対象の移動通信端末３０のＭＳＩＳＤＮ及びＩＭＥＩが含められる。
【００２４】
引き続いて、本実施形態に係る制御サーバ１０について、より詳細に説明する。図１に示すように、制御サーバ１０は、制御要求受付部１１と、判断部１２と、制御信号送信部１３とを備えて構成される。
【００２５】
制御要求受付部１１は、制御対象の移動通信端末３０のＩＭＥＩ及びＳＩＭのＭＳＩＳＤＮを含む当該移動通信端末３０に対する機能制御の要求を受け付ける制御要求受付手段である。当該要求には、制御内容を示す情報も含まれている。具体的には、制御要求受付部１１は、移動通信端末３０又は入力サーバ４０から送信される上記の要求に係る信号を受信する。制御要求受付部１１は、受け付けた機能制御の要求に係る情報を判断部１２に出力する。
【００２６】
判断部１２は、制御要求受付部１１によって受け付けられた機能制御の要求に含まれるＩＭＥＩ及びＭＳＩＳＤＮの組み合わせがＥＩＲ２０に記憶されているか否かを判断する判断手段である。この判断に応じて、上記の機能制御を実施するか否かが決定される。具体的には、判断部１２は、機能制御の要求に含まれるＭＳＩＳＤＮに対応するＩＭＥＩをＥＩＲ２０に問い合わせる。ＥＩＲ２０は、問い合わせに係るＭＳＩＳＤＮに対応するＩＭＥＩを図２に示すテーブルから取得して、制御サーバ１０に送信する。判断部１２は、ＥＩＲ２０から送信されたＩＭＥＩを受信して、そのＩＭＥＩと機能制御の要求に含まれるＩＭＥＩとが一致しているか否かを判断する。なお、図２に示すＥＩＲ２０が保持するテーブルの例ではキー情報がＩＭＥＩとなっているが、上記のようにＩＭＥＩを取得する場合は、キー情報をＭＳＩＳＤＮとしたテーブル構成とすることが望ましい。また、判断部１２による上記の判断は以下のように行われてもよい。判断部１２は、機能制御の要求に含まれるＩＭＥＩに対応するＭＳＩＳＤＮをＥＩＲ２０に問い合わせる。ＥＩＲ２０は、問い合わせに係るＩＭＥＩに対応するＭＳＩＳＤＮを図２に示すテーブルから取得して、制御サーバ１０に送信する。判断部１２は、ＥＩＲ２０から送信されたＭＳＩＳＤＮを受信して、そのＭＳＩＳＤＮと機能制御の要求に含まれるＭＳＩＳＤＮとが一致しているか否かを判断する。
【００２７】
一致していると判断された場合、判断部１２は、機能制御の要求に含まれるＩＭＥＩ及びＭＳＩＳＤＮの組み合わせがＥＩＲ２０に記憶されていると判断する。一致していないと判断された場合、判断部１２は、機能制御の要求に含まれるＩＭＥＩ及びＭＳＩＳＤＮの組み合わせがＥＩＲ２０に記憶されていないと判断する。なお、ＥＩＲ２０において、問い合わせに係るＭＳＩＳＤＮが記憶されておらずＭＳＩＳＤＮに対応するＩＭＥＩが取得できない場合、その旨がＥＩＲ２０から制御サーバ１０に通知される。判断部１２は、その通知を受けた場合も、機能制御の要求に含まれるＩＭＥＩ及びＭＳＩＳＤＮの組み合わせがＥＩＲ２０に記憶されていないと判断する。
【００２８】
判断部１２は、機能制御の要求に含まれるＩＭＥＩ及びＭＳＩＳＤＮの組み合わせがＥＩＲ２０に記憶されていると判断した場合、機能制御を実施するため、機能制御の要求に係る情報を制御信号送信部１３に出力する。判断部１２は、機能制御の要求に含まれるＩＭＥＩ及びＭＳＩＳＤＮの組み合わせがＥＩＲ２０に記憶されていないと判断した場合、機能制御を実施させない。
【００２９】
判断部１２は、機能制御の要求に含まれるＩＭＥＩ及びＭＳＩＳＤＮの組み合わせがＥＩＲ２０に記憶されていないと判断した場合、機能制御の要求に含まれるＩＭＥＩ及びＭＳＩＳＤＮの組み合わせを記憶しておき再度、この組み合わせがＥＩＲ２０に記憶されているか否かを判断することとしてもよい。具体的には、機能制御の要求に含まれるＩＭＥＩ及びＭＳＩＳＤＮの組み合わせの記憶については、判断部１２は当該情報をＥＩＲ２０に記憶させる（登録する）。具体的には、まず、図３のテーブルに示すように、予めＥＩＲ２０がＩＭＥＩ及びＭＳＩＳＤＮの組み合わせを記憶するためのテーブルに当該組み合わせに制御対象のＭＳＩＳＤＮを記憶する欄（制御対象ＭＳＩＳＤＮ）を設けておく。
【００３０】
そして、判断部１２は、所定のタイミングにてＩＭＥＩに対応付けられた使用中ＭＳＩＳＤＮと制御対象ＭＳＩＳＤＮとをＥＩＲ２０に問い合わせて、それらが一致しているか否かを判断する。一致していると判断された場合、判断部１２は、機能制御の要求に含まれるＩＭＥＩ及びＭＳＩＳＤＮの組み合わせがＥＩＲ２０に記憶されていると判断する。一致していないと判断された場合、判断部１２は、機能制御の要求に含まれるＩＭＥＩ及びＭＳＩＳＤＮの組み合わせがＥＩＲ２０に記憶されていないと判断する。
【００３１】
使用中ＭＳＩＳＤＮと制御対象ＭＳＩＳＤＮとが一致しているか否かを判断するタイミングとしては、例えば、それらに対応付けられたＩＭＥＩによって特定される移動通信端末３０が新たに位置登録を行ったときがある。移動通信端末３０が新たに位置登録を行うと、使用中ＭＳＩＳＤＮが更新される可能性があるからである。そのために移動体通信網から制御サーバ１０に対して移動通信端末３０が新たに位置登録を行ったことが通知されるようにしておく等、予め判断部１２において、移動通信端末３０が新たに位置登録を行ったことを検出できるようにしておく。また、上記以外でも、一定時間間隔で使用中ＭＳＩＳＤＮと制御対象ＭＳＩＳＤＮとが一致しているか否かを判断することとしてもよい。
【００３２】
上記ではＥＩＲ２０に記憶させる情報として、図３に示すようにＩＭＥＩに使用中ＭＳＩＳＤＮと制御対象ＭＳＩＳＤＮとを対応付けることとしていたが、図４に示すようにＭＳＩＳＤＮに使用中ＩＭＥＩ（位置登録されている移動通信端末３０のＩＭＥＩ）と制御対象ＩＭＥＩ（制御対象のＩＭＥＩ）とを対応付けて記憶させることとしてもよい。このような形態は、ＨＬＲ（Home Location Register）等のＭＳＩＳＤＮをキー情報とした記憶した情報を、ＩＭＥＩとＭＳＩＳＤＮとを対応付けて記憶しておくデータベースとして用いる場合に望ましい形態である。
【００３３】
また、判断部１２は、上述した判断に加えて、ＩＭＥＩに基づいて移動通信端末３０（本体）が機能制御を実行できる能力を有しているか否かを判断して、当該能力を有していると判断した場合のみに制御信号送信部１３に機能制御の要求に係る情報を入力することとしてもよい。具体的には、制御サーバ１０（の判断部１２）は、予め、ＩＭＥＩに対応付けて、当該ＩＭＥＩによって示される移動通信端末３０（本体）の能力を示す情報を記憶した能力データベースを保持しておく。判断部１２は、機能制御の要求に含まれるＩＭＥＩに基づいて、能力データベースに記憶された当該ＩＭＥＩによって示される移動通信端末３０（本体）の能力を示す情報を取得して、機能制御の要求に含まれる制御内容を実行できるか否かを判断する。これにより、機能制御を実行できる移動通信端末３０のみに制御信号を送信することができ、不要な制御信号の送信を防止することができる。また、機能制御を実行できない移動通信端末３０に制御信号を送信することによる移動通信端末３０における誤動作を防止することができる。
【００３４】
また、移動通信端末３０（本体）だけではなく、上記と同様にＳＩＭが機能制御を実行できる能力を有しているか否かを判断して、当該能力を有していると判断した場合のみに制御信号送信部１３に機能制御の要求に係る情報を入力することとしてもよい。
【００３５】
また、入力サーバ４０等の移動通信端末３０以外の装置から、移動通信端末３０に対する機能制御の要求が行われた場合は、判断部１２は、上述した判断に加えて、機能制御の要求に含まれるＩＭＥＩ及びＭＳＩＳＤＮの組み合わせと、移動通信端末３０から送信される当該移動通信端末３０のＩＭＥＩ及びＭＳＩＳＤＮの組み合わせとが一致しているかを判断することとしてもよい。ここで、移動通信端末３０から送信されるＩＭＥＩ及びＭＳＩＳＤＮの組み合わせとは、後述する制御信号送信部１３によって制御信号が送信される際に、端末制御のための接続が確立される際に移動通信端末３０から制御サーバ１０に送信されるものである。上記の判断において一致しているとされた場合、判断部１２は、制御信号送信部１３に対して移動通信端末３０に対する制御信号を送信させる。上記の判断において一致していないとされた場合、判断部１２は、制御信号送信部１３による移動通信端末３０に対する制御信号の送信を禁止する。このようは判断を加えることによって、誤動作を防止すると共に更にセキュリティが増す。但し、後述するように制御サーバ１０と移動通信端末３０との間で端末制御のための接続の確立時にＭＳＩＳＤＮによって特定される移動通信端末３０（のＳＩＭ）に対してＳＭＳ等で情報が送信される場合は、上記の処理を行う場合に移動通信端末３０から制御サーバ１０に送信される情報は、当該移動通信端末３０のＩＭＥＩだけでよい（ＭＳＩＳＤＮは必ずしも送信されなくてもよい）。上記の場合、移動通信端末３０からのＩＭＥＩの送信は、制御サーバ１０からＭＳＩＳＤＮに対する情報の送信に対して行われるものだからである。即ち、制御サーバ１０では、移動通信端末３０からＭＳＩＳＤＮが送信されなくてもＭＳＩＳＤＮを特定できる。なお、制御サーバ１０から移動通信端末３０に送信される情報と、移動通信端末３０から制御サーバ１０に送信される情報との対応付けは、それぞれの情報に含まれる（制御内容を示す）シーケンス番号によって行われる。
【００３６】
制御信号送信部１３は、判断部１２による判断に応じて、制御要求受付部１１によって受け付けられた機能制御の要求に係る移動通信端末３０に対して、当該機能制御を行う制御信号を送信する制御信号送信手段である。制御信号送信部１３は、上記のように判断部１２から機能制御の要求に係る情報が入力されると制御信号を送信する。具体的には、制御信号送信部１３は、まず、機能制御の要求に含まれるＭＳＩＳＤＮによって特定される移動通信端末３０に対してＳＭＳ等の手段を用いて、制御サーバ１０と移動通信端末３０との間で端末制御のための接続可否を問い合わせ、接続を確立するためのメッセージを送信する。制御サーバ１０と移動通信端末３０との間で端末制御のための接続可否が確認され、接続が確立されると、当該接続を用いて、機能制御の要求に含まれる制御内容を示す情報に応じた制御信号を生成して送信する。移動通信端末３０では、当該制御信号が受信されて、制御信号に応じた制御が実行される。
【００３７】
なお、制御サーバ１０と移動通信端末３０との間で端末制御のための接続の確立時に、移動通信端末３０が制御サーバ１０に自端末３０のＩＭＥＩ及びＭＳＩＳＤＮを送信することとしてもよい。このＩＭＥＩ及びＭＳＩＳＤＮは、判断部１２による上述した判断に用いられる。また、これらの情報の送受信は、制御サーバ１０と移動通信端末３０との間で端末制御の可否が確認される時における、制御サーバ１０における移動通信端末３０の認証に用いられる情報として送受信されてもよい。
【００３８】
また、移動通信端末３０から機能制御の要求が行われた場合には、通常、パケット通信の接続（端末制御のための接続）が確立されているので（当該接続が用いられて制御要求に係る信号が移動通信端末３０から制御サーバ１０に送信される）、上記のパケット通信の接続（端末制御のための接続）を確立する処理は必ずしも必要ない。以上が、制御サーバ１０の機能構成である。
【００３９】
図５に制御サーバ１０のハードウェア構成を示す。図５に示すように制御サーバ１０は、ＣＰＵ（Central Processing Unit）１０１、主記憶装置であるＲＡＭ（Random Access Memory）１０２及びＲＯＭ（Read Only Memory）１０３、通信を行うための通信モジュール１０４、並びにハードディスク等の補助記憶装置１０５等のハードウェアを備えるコンピュータを含むものとして構成される。これらの構成要素がプログラム等により動作することにより、上述した制御サーバ１０の機能が発揮される。また、ＥＩＲ２０も制御サーバ１０と同様のハードウェア構成によって実現される。以上が、制御サーバ１０の構成である。
【００４０】
引き続いて、図６〜図８のシーケンス図を用いて、本実施形態に係る制御装置１によって実行される処理（制御方法）を説明する。まず、図６及び７を用いて、制御対象となる移動通信端末３０以外の装置である入力サーバ４０から機能制御の要求が行われる場合について説明し、その後、図８を用いて制御対象となる移動通信端末３０から機能制御の要求が行われる場合について説明する。
【００４１】
図６に示すように、まず、移動通信端末３０に対する機能制御の要求に係る信号が入力サーバ４０から制御サーバ１０に送信される。本処理例では、移動通信端末３０に対する機能制御は、移動通信端末３０の機能を利用不可能にさせる遠隔機能制限である。これは、例えば、移動通信端末３０の所有者が移動通信端末３０を紛失した場合に第三者に移動通信端末３０による不正利用を防止する処理である。上述したように、当該機能制御の要求に係るには、入力サーバ４０において入力された制御対象の移動通信端末３０のＩＭＥＩ、ＳＩＭのＭＳＩＳＤＮ、及び制御内容を示す情報が含まれている。
【００４２】
制御サーバ１０では、当該機能制御の要求に係る信号が制御要求受付部１１によって受信される（Ｓ０１、制御要求受付ステップ）。当該機能制御の要求に係る信号に含まれる各情報は、制御要求受付部１１から判断部１２に出力される。
【００４３】
続いて、判断部１２によって、当該機能制御の要求に含まれるＭＳＩＳＤＮに対応するＩＭＥＩがＥＩＲ２０に問い合わせられる（Ｓ０２、判断ステップ）。ＥＩＲ２０では、問い合わせに係るＭＳＩＳＤＮに対応するＩＭＥＩが、ＥＩＲ２０によって記憶される情報から取得されて制御サーバ１０に送信される。制御サーバ１０では、判断部１２によって、ＥＩＲ２０から送信されたＩＭＥＩが受信される（Ｓ０３、判断ステップ）。
【００４４】
続いて、判断部１２によって、ＥＩＲ２０から送信されたＩＭＥＩと機能制御の要求に含まれるＩＭＥＩとが一致しているか否かが判断される（Ｓ０４、判断ステップ）。２つのＩＭＥＩが一致していないと判断された場合、機能制御を実施されず処理は終了する（図示せず）。この場合、制御サーバ１０から入力サーバ４０に、機能制御を実施されなかった旨の情報（ＮＧ応答）が送信されてもよい（機能制御を実施されなかった場合については以降も同様である）。
【００４５】
２つのＩＭＥＩが一致していると判断された場合、引き続いて、判断部１２によって、ＩＭＥＩに基づいて移動通信端末３０（本体）が機能制御を実行できる能力を有しているか否かが判断される（Ｓ０５、判断ステップ）。判断部１２による判断で移動通信端末３０（本体）が当該能力を有しているとされた場合、機能制御を実施するため、機能制御の要求に係る情報が判断部１２から制御信号送信部１３に出力される。判断部１２による判断で移動通信端末３０（本体）が当該能力を有していないとされた場合、機能制御を実施されず処理は終了する（図示せず）。
【００４６】
続いて、制御信号送信部１３に判断部１２から機能制御の要求に係る情報が入力されると、制御信号送信部１３から、機能制御の要求に含まれるＭＳＩＳＤＮによって特定される移動通信端末３０に対して、制御サーバ１０と移動通信端末３０との間にパケット通信のための接続を確立させるためのメッセージが送信される（Ｓ０６、制御信号送信ステップ）。移動通信端末３０では、当該メッセージが受信されて、それに対する応答が制御サーバ１０に送信される。なお、この応答には自端末３０のＩＭＥＩ及び自端末３０に装着されたＳＩＭのＭＳＩＳＤＮが含められる。制御サーバ１０では、制御信号送信部１３によって応答が受信されて、制御サーバ１０と移動通信端末３０との間の接続が許容（確立）される（Ｓ０７、制御信号送信ステップ）。
【００４７】
続いて、制御信号送信部１３から判断部１２に、移動通信端末３０から送信された応答に含まれるＩＭＥＩ及びＭＳＩＳＤＮが出力される。続いて、判断部１２によって、機能制御の要求に含まれるＩＭＥＩ及びＭＳＩＳＤＮの組み合わせと、移動通信端末３０から送信された当該移動通信端末３０のＩＭＥＩ及びＭＳＩＳＤＮの組み合わせとが一致しているかが判断される（Ｓ０８、判断ステップ）。それらの組み合わせが一致していないと判断された場合、機能制御を実施されず処理は終了する（図示せず）。
【００４８】
それらの組み合わせが一致していると判断された場合、判断部１２から制御信号送信部１３に対して、移動通信端末３０に対する制御信号を送信させる制御が行われる。続いて、制御信号送信部１３によって、機能制御の要求に含まれる制御内容を示す情報に応じた制御信号が生成されて移動通信端末３０に送信される（Ｓ０９、制御信号送信ステップ）。移動通信端末３０では、当該制御信号が受信されて制御信号に応じた制御が実行される（Ｓ１０）。具体的には、移動通信端末３０の機能を利用不可能にさせる遠隔機能制限の制御が実行される。以上が入力サーバ４０から機能制御の要求が行われて、移動通信端末３０の制御が実行されるまでの処理である。
【００４９】
上述した処理のＳ０４において、ＥＩＲ２０から送信されたＩＭＥＩと機能制御の要求に含まれるＩＭＥＩとが一致していなかった場合（機能制御の要求に含まれるＩＭＥＩ及びＭＳＩＳＤＮの組み合わせがＥＩＲ２０に記憶されていないと判断された場合）には、機能制御を実施されず処理は終了する。以下に説明する例では、ＥＩＲ２０から送信されたＩＭＥＩと機能制御の要求に含まれるＩＭＥＩとが一致していなかった場合、以下のようにその後のタイミングで再度、判断が行われることとしてもよい。その場合の処理を図７のシーケンス図を用いて説明する。なお、ＥＩＲ２０から送信されたＩＭＥＩと機能制御の要求に含まれるＩＭＥＩとが一致しない場合としては、移動通信端末３０にＳＩＭが挿入されていない場合や、移動通信端末３０にＳＩＭが挿入されている場合であっても、当該移動通信端末３０のＩＭＥＩ及び当該移動通信端末３０に装着されるＳＩＭのＭＳＩＳＤＮが機能制御の要求に含まれるＩＭＥＩ及びＭＳＩＳＤＮと異なる場合がある。
【００５０】
図７におけるＳ２１〜Ｓ２４の処理は、図６におけるＳ０１〜Ｓ０４の処理と同様である。即ち、まず、移動通信端末３０に対する機能制御の要求に係る信号が入力サーバ４０から制御サーバ１０に送信される。制御サーバ１０では、当該機能制御の要求に係る信号が制御要求受付部１１によって受信される（Ｓ２１、制御要求受付ステップ）。続いて、判断部１２によって、当該機能制御の要求に含まれるＭＳＩＳＤＮに対応するＩＭＥＩがＥＩＲに問い合わせられる（Ｓ２２、判断ステップ）。ＥＩＲ２０では、問い合わせに係るＭＳＩＳＤＮに対応するＩＭＥＩが、ＥＩＲ２０によって記憶される情報から取得されて制御サーバ１０に送信される。制御サーバ１０では、判断部１２によって、ＥＩＲ２０から送信されたＩＭＥＩが受信される（Ｓ２３、判断ステップ）。
【００５１】
続いて、判断部１２によって、ＥＩＲ２０から送信されたＩＭＥＩと機能制御の要求に含まれるＩＭＥＩとが一致しているか否かが判断される（Ｓ２４、判断ステップ）。２つのＩＭＥＩが一致していないと判断された場合、判断部１２からＥＩＲ２０に対して、機能制御の要求に含まれるＩＭＥＩ及びＭＳＩＳＤＮの組み合わせを示す情報が送信される。ＥＩＲ２０では、ＩＭＥＩ及びＭＳＩＳＤＮの組み合わせが受信されて、ＥＩＲ２０に予め記憶されている受信されたＩＭＥＩに対応付けられて、受信されたＭＳＩＳＤＮ（制御対象ＭＳＩＳＤＮ）が記憶される（Ｓ２５、判断ステップ）。ここまでで、一旦、制御サーバ１０とＥＩＲ２０との処理は終了する。
【００５２】
その後、移動通信端末３０によって新たに位置登録が行われる。これにより、ＥＩＲ２０において、移動通信端末３０のＩＭＥＩに対応付けられたＭＳＩＳＤＮ（使用中ＭＳＩＳＤＮ）が記憶される（Ｓ３１）。移動通信端末３０の位置登録は、ユーザが移動通信端末３０にＳＩＭを装着して移動通信端末３０が移動体通信網の通信エリアに位置されることにより行われる。
【００５３】
制御サーバ１０では、移動通信端末３０が位置登録を行ったことが検出されて、それをトリガとして、判断部１２からＥＩＲ２０に、当該移動通信端末３０のＩＭＥＩに対応付けられた使用中ＭＳＩＳＤＮと制御対象ＭＳＩＳＤＮとが問い合わせられる（Ｓ３２、判断ステップ）。ＥＩＲ２０では、その問い合わせの応答として、上記の使用中ＭＳＩＳＤＮと制御対象ＭＳＩＳＤＮとが制御サーバ１０に送信される（Ｓ３３、判断ステップ）。使用中ＭＳＩＳＤＮと制御対象ＭＳＩＳＤＮとは、判断部１２によって受信されて両者が一致しているか否かが判断される（Ｓ３４、判断ステップ）。
【００５４】
一致していないと判断された場合、機能制御の要求に含まれるＩＭＥＩ及びＭＳＩＳＤＮの組み合わせがＥＩＲ２０に記憶されていないと判断される（図示せず）。その場合、上記と同様に新たに当該移動通信端末３０によって位置登録がなされるまで、処理が中断される。
【００５５】
一致していると判断された場合、機能制御の要求に含まれるＩＭＥＩ及びＭＳＩＳＤＮの組み合わせがＥＩＲ２０に記憶されていると判断される。その場合、以降は、図６のＳ０５以降と同様の処理が行われる。即ち、引き続いて、判断部１２によって、ＩＭＥＩに基づいて移動通信端末３０（本体）が機能制御を実行できる能力を有しているか否かが判断される（Ｓ３５、判断ステップ）。判断部１２による判断で移動通信端末３０（本体）が当該能力を有しているとされた場合、機能制御を実施するため、機能制御の要求に係る情報が判断部１２から制御信号送信部１３に出力される。
【００５６】
続いて、制御信号送信部１３に判断部１２から機能制御の要求に係る情報が入力されると、制御信号送信部１３から、機能制御の要求に含まれるＭＳＩＳＤＮによって特定される移動通信端末３０に対して、制御サーバ１０と移動通信端末３０との間で端末制御の可否を確認するためのメッセージが送信される（Ｓ３６、制御信号送信ステップ）。移動通信端末３０では、当該メッセージが受信されて、それに対する応答が制御サーバ１０に送信される。なお、この応答には自端末３０のＩＭＥＩ及び自端末３０に装着されたＳＩＭのＭＳＩＳＤＮが含められる。制御サーバ１０では、制御信号送信部１３によって応答が受信されて、制御サーバ１０と移動通信端末３０との間の接続が確立される（Ｓ３７、制御信号送信ステップ）。
【００５７】
続いて、制御信号送信部１３から判断部１２に、移動通信端末３０から送信された応答に含まれるＩＭＥＩ及びＭＳＩＳＤＮが出力される。続いて、判断部１２によって、機能制御の要求に含まれるＩＭＥＩ及びＭＳＩＳＤＮの組み合わせと、移動通信端末３０から送信された当該移動通信端末３０のＩＭＥＩ及びＭＳＩＳＤＮの組み合わせとが一致しているかが判断される（Ｓ３８、判断ステップ）。
【００５８】
それらの組み合わせが一致していると判断された場合、判断部１２から制御信号送信部１３に対して、移動通信端末３０に対する制御信号を送信させる制御が行われる。続いて、制御信号送信部１３によって、機能制御の要求に含まれる制御内容を示す情報に応じた制御信号が生成されて移動通信端末３０に送信される（Ｓ３９、制御信号送信ステップ）。移動通信端末３０では、当該制御信号が受信されて制御信号に応じた制御が実行される（Ｓ４０）。具体的には、移動通信端末３０の機能を利用不可能にさせる遠隔機能制御の制御が実行される。以上がＥＩＲ２０から送信されたＩＭＥＩと機能制御の要求に含まれるＩＭＥＩとが一致しない場合の処理の例である。
【００５９】
引き続いて、図８を用いて制御対象となる移動通信端末３０から機能制御の要求が行われる場合について説明する。図８に示すように、まず、移動通信端末３０に対する機能制御の要求に係る信号が当該移動通信端末３０から制御サーバ１０に送信される。本処理例では、移動通信端末３０に対する機能制御は、移動通信端末３０に格納されているソフトウェアの更新である。これは、例えば、移動体通信網から移動通信端末３０に対して、ソフトウェアの更新の案内が行われた場合にユーザの操作等をトリガとして行われる処理である。上述したように、当該機能制御の要求に係るには、移動通信端末３０のＩＭＥＩ、ＳＩＭのＭＳＩＳＤＮ、及び制御内容を示す情報が含まれている。なお、機能制御の要求に係る信号が移動通信端末３０から制御サーバ１０に送信される際には、予め、制御サーバ１０と移動通信端末３０との間にはパケット通信の接続が確立されている。
【００６０】
制御サーバ１０では、当該機能制御の要求に係る信号が制御要求受付部１１によって受信される（Ｓ５１、制御要求受付ステップ）。当該機能制御の要求に係る信号に含まれる各情報は、制御要求受付部１１から判断部１２に出力される。
【００６１】
続いて、判断部１２によって、当該機能制御の要求に含まれるＭＳＩＳＤＮに対応するＩＭＥＩがＥＩＲ２０に問い合わせられる（Ｓ５２、判断ステップ）。ＥＩＲ２０では、問い合わせに係るＭＳＩＳＤＮに対応するＩＭＥＩが、ＥＩＲ２０によって記憶される情報から取得されて制御サーバ１０に送信される。制御サーバ１０では、判断部１２によって、ＥＩＲ２０から送信されたＩＭＥＩが受信される（Ｓ５３、判断ステップ）。
【００６２】
続いて、判断部１２によって、ＥＩＲ２０から送信されたＩＭＥＩと機能制御の要求に含まれるＩＭＥＩとが一致しているか否かが判断される（Ｓ５４、判断ステップ）。２つのＩＭＥＩが一致していないと判断された場合、機能制御を実施されず処理は終了する（図示せず）。この場合、制御サーバ１０から移動通信端末３０に、機能制御を実施されなかった旨の情報（ＮＧ応答）が送信されてもよい。
【００６３】
２つのＩＭＥＩが一致していると判断された場合、引き続いて、判断部１２によって、ＩＭＥＩに基づいて移動通信端末３０（本体）が機能制御を実行できる能力を有しているか否かが判断される（Ｓ５５、判断ステップ）。判断部１２による判断で移動通信端末３０（本体）が当該能力を有しているとされた場合、機能制御を実施するため、機能制御の要求に係る情報が判断部１２から制御信号送信部１３に出力される。判断部１２による判断で移動通信端末３０（本体）が当該能力を有していないとされた場合、機能制御を実施されず処理は終了する（図示せず）。
【００６４】
続いて、制御信号送信部１３に判断部１２から機能制御の要求に係る情報が入力されると、制御信号送信部１３によって、機能制御の要求に含まれる制御内容を示す情報に応じた制御信号が生成されて移動通信端末３０に送信される（Ｓ５６、制御信号送信ステップ）。なお、本処理の場合は、上述した処理とは異なり、制御サーバ１０と移動通信端末３０との間にパケット通信の接続が確立されているので、当該接続を確立するための処理は不要である。移動通信端末３０では、当該制御信号が受信されて制御信号に応じた制御が実行される（Ｓ５７）。具体的には、制御信号には更新対象となるソフトウェアが含まれており、当該ソフトウェアの更新が実行される。以上が制御対象となる移動通信端末３０から機能制御の要求が行われて、移動通信端末３０の制御が実行されるまでの処理である。
【００６５】
上述したように本実施形態によれば、ＩＭＥＩやＭＳＩＳＤＮ単体だけでなくＩＭＥＩ及びＭＳＩＳＤＮの両方に基づいて、移動通信端末３０に対する機能制御が判断される。従って、制御信号が誤った移動通信端末３０（本来、制御信号を送信すべきでない移動通信端末３０）に送信されることを防止することができる。これにより、移動体通信網上の無駄信号、及び移動通信端末３０での無駄処理の発生を防止することができ、また、制御信号による移動通信端末３０における誤動作を防止することができる。
【００６６】
また、移動通信端末３０がＯＰＦ（オープンプラットフォーム）端末である場合等には、機能制御を実施する際に移動通信端末３０から送信される、端末ソフトにより生成されたＩＭＥＩやＭＳＩＳＤＮが自由に設定されたり、偽装されたりすることも考えられる。そのように情報が偽装された場合であっても、ＩＭＥＩのみに基づいて機能制御の判断を行う場合に比べて、ＩＭＥＩとＭＳＩＳＤＮとの両方を適切に偽装することは難しいことから、偽装された場合には機能制御を禁止し偽装でない場合には機能制御を実行するといった適切に制御信号による制御を行うことができる。これにより、ユーザへの誤課金や移動体通信網上の誤った制御信号の送信等を防止することができる。
【００６７】
なお、偽装対策として移動通信端末３０と制御サーバ１０との間で使用するキー情報を別に設け処理毎に更新したり、暗号化やハッシュ化技術を用いたりするものがあるが、機構が複雑になるほど移動通信端末３０にかかる負担も大きくなる。本実施形態では、移動通信端末３０に負担をかけずに偽装対策を実現している。
【００６８】
また、ＩＭＥＩの偽装ではなく、移動通信端末３０の差替えにより制御対象の移動通信端末３０ではない移動通信端末３０に対する機能制御を防止することができる。即ち、本実施形態によれば、制御信号による移動通信端末３０の機能の制御を適切に行うことができる。
【００６９】
また、本実施形態のように位置登録に係る情報を用いて機能制御の実行の可否の判断を行うことが望ましい。この構成によれば、ＥＩＲ２０に記憶されるＩＭＥＩ及びＭＳＩＳＤＮが移動体通信網に在圏している移動通信端末に係るものになる。従って、当該移動通信端末３０には確実に制御信号を送信することができ、制御信号による移動通信端末３０の機能の制御を更に適切に行うことができる。また、位置登録の際にＩＭＥＩ及びＭＳＩＳＤＮを偽装することは、機能制御を実施する際にＩＭＥＩやＭＳＩＳＤＮを偽装するよりも行われにくいので、偽造対策という点でも有効である。但し、必ずしも位置登録に係る情報を用いる必要はなく、予めデータベースに登録した情報等を用いることとしてもよい。
【００７０】
また、上述したように機能制御の要求に含まれる情報がデータベースに記憶されていないと判断された場合であっても、図７に示す処理のように再度、判断が行われる構成とすることが望ましい。この構成によれば、確実に機能制御を行うＩＭＥＩ及びＭＳＩＳＤＮの組み合わせになった場合に制御信号による移動通信端末の機能の制御を行うことができる。
【００７１】
また、本実施形態のように移動通信端末３０の能力にも基づいて、機能制御の実行の可否の判断を行うことが望ましい。この構成によれば、不要な制御信号の送信を更に確実に防止することができる。また、機能制御を実行できない移動通信端末に制御信号を送信することによる移動通信端末３０における誤動作を防止することができる。
【００７２】
なお、本実施形態では、制御装置１は、制御サーバ１０とＥＩＲ２０とを含む構成としていたが必ずしも２つの装置である必要はなく、制御サーバ１０にＥＩＲ２０において記憶されている情報を記憶させて制御サーバ１０のみから構成されるものであってもよい。即ち、制御サーバ１０にデータベースの機能が含まれていてもよい。
【符号の説明】
【００７３】
１…制御装置、１０…制御サーバ、１１…制御要求受付部、１２…判断部、１３…制御信号送信部、１０１…ＣＰＵ、１０２…ＲＡＭ、１０３…ＲＯＭ、１０４…通信モジュール、１０５…補助記憶装置、２０…ＥＩＲ、３０…移動通信端末、４０…入力サーバ。
【図１】
0005410227.tif 000002
【図２】
0005410227.tif 000003
【図３】
0005410227.tif 000004
【図４】
0005410227.tif 000005
【図５】
0005410227.tif 000006
【図６】
0005410227.tif 000007
【図７】
0005410227.tif 000008
【図８】
0005410227.tif 000009